(57)【特許請求の範囲】
【請求項１】
電磁共鳴方式により内視鏡スコープに非接触で給電を行う送電コイルを含む給電部と、
前記内視鏡スコープとの間で光通信を行う第１の光通信部と、
前記内視鏡スコープへの給電の開始指示を示す外部トリガを受け付ける外部トリガ受付部と、
前記給電部を制御する給電制御部と、を備え、
前記給電制御部は、前記外部トリガ受付部が前記外部トリガを受け付けると、前記給電部の送電コイルに流す電流の周波数を、初期の周波数から共鳴周波数に徐々に近づけることで、前記給電部から前記内視鏡スコープに対して給電を開始させ、
前記第１の光通信部は、前記給電が開始されると、前記内視鏡スコープに設けられた第２の光通信部との間で光通信を開始し、前記内視鏡スコープの受電量の過不足に対応する受電情報を前記第２の光通信部から光通信にて受信し、
前記給電制御部は、前記第１の光通信部が受信した前記受電情報に基づいて前記給電部の送電コイルに流す電流の周波数を制御し、該給電部から送電される電力を調整する内視鏡用プロセッサ装置。
【請求項２】
前記外部トリガ受付部は、前記内視鏡スコープが前記内視鏡用プロセッサ装置に装着されたか否かを検知する装着検知部を有し、前記装着検知部が前記内視鏡スコープの装着を検知すると、前記内視鏡スコープの装着を検知した時点を前記外部トリガとして受け付ける請求項１に記載の内視鏡用プロセッサ装置。
【請求項３】
前記外部トリガ受付部は、内視鏡検査の開始を指示する検査開始スイッチを有し、前記検査開始スイッチが手動により操作されると、前記検査開始スイッチの手動による操作時点を前記外部トリガとして受け付ける請求項１に記載の内視鏡用プロセッサ装置。
【請求項４】
前記受電情報は、前記内視鏡スコープの負荷状態に対応する直流電圧を示す電圧情報であり、
前記給電制御部は、前記第１の光通信部が受信した前記電圧情報が第１の閾値よりも低いときには、前記給電部と前記内視鏡スコープの受電部とが磁気共鳴する共鳴周波数に近づく方向に前記送電コイルに流す電流の周波数を制御し、前記第１の光通信部が受信した前記電圧情報が第２の閾値よりも高いときには、前記共鳴周波数から離れる方向に前記送電コイルに流す電流の周波数を制御し、
前記第１の閾値は、前記第２の閾値よりもヒステリシス幅だけ小さい値である請求項１に記載の内視鏡用プロセッサ装置。
【請求項５】
前記内視鏡スコープにより撮像された画像信号を該内視鏡スコープに設けられた画像信号送信部から非接触で受信する画像信号受信部と、
前記画像信号受信部により受信した前記画像信号に対して画像処理を行う画像処理部と、
前記画像処理部により画像処理された前記画像信号を表示器に出力する出力部と、
を更に備えた請求項１から４のいずれか１項に記載の内視鏡用プロセッサ装置。
【請求項６】
前記内視鏡スコープが装着される装着部を介して前記内視鏡スコープのライトガイドに照明用の光を供給する光源を更に備えた請求項１から５のいずれか１項に記載の内視鏡用プロセッサ装置。
【請求項７】
請求項１から６のいずれか１項に記載の内視鏡用プロセッサ装置と、前記内視鏡用プロセッサ装置と接続される内視鏡スコープと、からなる内視鏡システムであって、
前記内視鏡スコープは、
前記内視鏡用プロセッサ装置から非接触で受電を行う受電コイルを含む受電部と、前記受電部を介して給電されると、前記内視鏡用プロセッサ装置に設けられた前記第１の光通信部との間で光通信を開始し、前記内視鏡スコープの受電量の過不足に対応する前記受電情報を光通信にて送信する前記第２の光通信部と、を備えた内視鏡システム。
【請求項８】
前記内視鏡用プロセッサ装置は、前記内視鏡スコープの撮像動作を制御する制御部を備え、
前記制御部は、前記第１の光通信部から前記第２の光通信部に前記内視鏡スコープの撮像動作を制御するための制御信号を送信する請求項７に記載の内視鏡システム。
【請求項９】
前記内視鏡スコープは、該内視鏡スコープにより撮像した画像信号を前記内視鏡用プロセッサ装置に設けられた画像信号受信部に非接触で送信する画像信号送信部を備えた請求項７又は８に記載の内視鏡システム。
【請求項１０】
電磁共鳴方式により送電コイルを含む給電部と第１の光通信部とを有する内視鏡用プロセッサ装置と、受電コイルを含む受電部と第２の光通信部とを有する内視鏡スコープと、からなる内視鏡システムにおいて、
前記内視鏡用プロセッサ装置の外部トリガ受付部が、前記内視鏡スコープへの給電の開始指示を示す外部トリガを受け付けると、前記給電部の送電コイルに流す電流の周波数を、初期の周波数から共鳴周波数に徐々に近づけることで、前記給電部から前記内視鏡スコープの受電部に対して給電を開始させるステップと、
前記受電部を介して給電されると、前記第２の光通信部が、前記内視鏡用プロセッサ装置に設けられた前記第１の光通信部との間で光通信を開始し、前記内視鏡スコープの受電量の過不足に対応する受電情報を光通信にて送信するステップと、
前記内視鏡用プロセッサ装置に設けられた給電制御部が、前記第２の光通信部から前記第１の光通信部を介して前記受電情報を取得し、前記取得した前記受電情報に基づいて前記給電部の送電コイルに流す電流の周波数を制御し、該給電部から送電する電力を調整するステップと、
を含む内視鏡システムの非接触給電方法。
【発明の詳細な説明】
【技術分野】
【０００１】
本発明は内視鏡用プロセッサ装置、内視鏡システム及び内視鏡システムの非接触給電方法に係り、特に内視鏡スコープに対して非接触で給電する技術に関する。
【背景技術】
【０００２】
内視鏡システムは、体腔内を撮影するＣＣＤ（Charge Coupled Device：電荷結合素子）イメージセンサ等の撮像部と、ユニバーサルコードの端部に設けられたコネクタ部とを備えた内視鏡スコープと、内視鏡スコープのコネクタ部が着脱可能に装着されるコネクタ部と、内視鏡スコープから出力された画像信号に画像処理等する制御部と、光源とを備えた内視鏡用プロセッサ装置とから構成されている。
【０００３】
内視鏡システムでは、内視鏡スコープのコネクタ部と内視鏡用プロセッサ装置のコネクタ部とを電気接点で接続することにより、内視鏡用プロセッサ装置から内視鏡スコープへの電力の供給や、内視鏡用プロセッサ装置から内視鏡スコープとの間で画像信号及び制御信号の伝送が行われる。
【０００４】
内視鏡システムでは、使用後の内視鏡スコープに対して、洗浄、消毒を行う必要がある。そのため、電気接点を保護する防水キャップを内視鏡スコープのコネクタ部に取り付ける必要がある。しかしながら、防水キャップの着脱に手間がかかるだけでなく、防水キャップの取り付けを忘れた場合に、電気接点が破損する問題があった。
【０００５】
このような問題に対応するため、特許文献１に記載の内視鏡システムは、内視鏡スコープのコネクタ部を防水構造とし、内視鏡スコープと内視鏡用プロセッサ装置との間に画像信号を近距離無線通信する通信部を設け、また、内視鏡用プロセッサ装置から内視鏡スコープに非接触で電力を供給する電力供給部を設けるようにしている。
【０００６】
また、特許文献１に記載の内視鏡用プロセッサ装置には、内視鏡スコープのコネクタ部を着脱可能に支持するコネクタ支持部と、コネクタ支持部によるコネクタ部の支持状態を保持するロック状態と保持を解除するアンロック状態とに切り替わるロック機構と、ロック機構がロック状態にあるときに、電力供給部から非接触で電力の給電を可能とし、ロック機構がアンロック状態にあるときに、電力の給電を不能にする近距離非接触電力伝送制御部とが設けられ、これにより内視鏡用プロセッサ装置は、内視鏡スコープのコネクタ部が内視鏡用プロセッサ装置のコネクタ支持部に装着されているときのみ、非接触で電力を供給できるようにしている。
【先行技術文献】
【特許文献】
【０００７】
【特許文献１】特開２０１３−２０８１８７号公報
【発明の概要】
【発明が解決しようとする課題】
【０００８】
ところで、内視鏡用プロセッサ装置から内視鏡スコープに非接触で電力を給電する場合、内視鏡用プロセッサ装置は、直ちに内視鏡スコープの電力状況を把握することができず、一定の電力を給電する場合には、内視鏡スコープの負荷によって電力が不足したり、又は過剰になるという問題がある。
【０００９】
本発明はこのような事情に鑑みてなされたもので、内視鏡スコープに対して非接触による電力の供給を良好に行うことができる内視鏡用プロセッサ装置、内視鏡システム及び内視鏡システムの非接触給電方法を提供することを目的とする。
【課題を解決するための手段】
【００１０】
上記目的を達成するために本発明の一の態様に係る内視鏡用プロセッサ装置は、内視鏡スコープに非接触で給電を行う送電コイルを含む給電部と、内視鏡スコープとの間で光通信を行う第１の光通信部と、内視鏡スコープへの給電の開始指示を示す外部トリガを受け付ける外部トリガ受付部と、給電部を制御する給電制御部と、を備え、給電制御部は、外部トリガ受付部が外部トリガを受け付けると、給電部から内視鏡スコープに対して給電を開始させ、第１の光通信部は、給電が開始されると、内視鏡スコープに設けられた第２の光通信部との間で光通信を開始し、内視鏡スコープの受電量の過不足に対応する受電情報を第２の光通信部から光通信にて受信し、給電制御部は、第１の光通信部が受信した受電情報に基づいて給電部を制御し、給電部から送電する電力を調整するようにしている。
【００１１】
本発明の一の態様によれば、外部トリガを受け付け、視鏡スコープへの給電が開始されると、内視鏡スコープとの間で光通信が可能になり、光通信により内視鏡スコープの受電量の過不足に対応する受電情報を内視鏡スコープから受信する。給電制御部は、受信した受電情報に基づいて給電部を制御し、給電部から送電する電力を調整するようにしている。これにより、内視鏡スコープの負荷変動にかかわらず、内視鏡スコープに対して内視鏡スコープが必要とする電力の供給を非接触給電により良好に行うことができる。
【００１２】
本発明の他の態様に係る内視鏡用プロセッサ装置において、外部トリガ受付部は、内視鏡スコープが内視鏡用プロセッサ装置に装着されたか否かを検知する装着検知部を有し、装着検知部が内視鏡スコープの装着を検知すると、内視鏡スコープの装着を検知した時点を外部トリガとして受け付けることが好ましい。これにより、内視鏡スコープが内視鏡用プロセッサ装置に装着されると、自動的に非接触による電力の供給を行うことができる。
【００１３】
本発明の更に他の態様に係る内視鏡用プロセッサ装置において、外部トリガ受付部は、内視鏡検査の開始を指示する検査開始スイッチを有し、検査開始スイッチが手動により操作されると、検査開始スイッチの手動による操作時点を外部トリガとして受け付けることが好ましい。これにより、使用者の意思により検査開始スイッチが手動操作されると、非接触による電力の供給を行うことができる。
【００１４】
本発明の更に他の態様に係る内視鏡用プロセッサ装置において、給電部は、電磁共鳴方式により内視鏡スコープに非接触で給電を行うものであり、給電制御部は、第１の光通信部が受信した受電情報に基づいて給電部の送電コイルに流す電流の周波数を制御し、給電部から送電される電力を調整することが好ましい。
【００１５】
本発明の更に他の態様に係る内視鏡用プロセッサ装置において、受電情報は、内視鏡スコープの負荷状態に対応する直流電圧を示す電圧情報であり、給電制御部は、第１の光通信部が受信した電圧情報が第１の閾値よりも低いときには、給電部と内視鏡スコープの受電部とが磁気共鳴する共鳴周波数に近づく方向に送電コイルに流す電流の周波数を制御し、第１の光通信部が受信した電圧情報が第２の閾値よりも高いときには、共鳴周波数から離れる方向に送電コイルに流す電流の周波数を制御する。
【００１６】
本発明の更に他の態様に係る内視鏡用プロセッサ装置において、第１の閾値は、第２の閾値よりもヒステリシス幅だけ小さい値であることが好ましい。これにより、送電コイルに流す電流の周波数の調整時にハンチングを防止することができる。
【００１７】
本発明の更に他の態様に係る内視鏡用プロセッサ装置において、内視鏡スコープにより撮像された画像信号を内視鏡スコープに設けられた画像信号送信部から非接触で受信する画像信号受信部と、画像信号受信部により受信した画像信号に対して画像処理を行う画像処理部と、画像処理部により画像処理された画像信号を表示器に出力する出力部と、を更に備えることが好ましい。これにより、内視鏡スコープから非接触で画像信号を受信することができ、内視鏡スコープのコネクタ部を防水構造にすることができる。
【００１８】
本発明の更に他の態様に係る内視鏡用プロセッサ装置において、内視鏡スコープが装着される装着部を介して内視鏡スコープのライトガイドに照明用の光を供給する光源を更に備えることが好ましい。
【００１９】
本発明の更に他の態様は、上記の内視鏡用プロセッサ装置と、内視鏡用プロセッサ装置と接続される内視鏡スコープと、からなる内視鏡システムであって、内視鏡スコープは、内視鏡用プロセッサ装置から非接触で受電を行う受電コイルを含む受電部と、受電部を介して給電されると、内視鏡用プロセッサ装置に設けられた第１の光通信部との間で光通信を開始し、内視鏡スコープの受電量の過不足に対応する受電情報を光通信にて送信する第２の光通信部と、備えている。
【００２０】
本発明の更に他の態様に係る内視鏡システムにおいて、内視鏡用プロセッサ装置は、内視鏡スコープの撮像動作を制御する制御部を備え、制御部は、第１の光通信部から第２の光通信部に内視鏡スコープの撮像動作を制御するための制御信号を送信することが好ましい。
【００２１】
本発明の更に他の態様に係る内視鏡システムにおいて、内視鏡スコープは、内視鏡スコープにより撮像した画像信号を内視鏡用プロセッサ装置に設けられた画像信号受信部に非接触で送信する画像信号送信部を備えることが好ましい。
【００２２】
本発明の更に他の態様に係る内視鏡システムの非接触給電方法は、送電コイルを含む給電部と第１の光通信部とを有する内視鏡用プロセッサ装置と、受電コイルを含む受電部と第２の光通信部とを有する内視鏡スコープと、からなる内視鏡システムにおいて、内視鏡用プロセッサ装置の外部トリガ受付部が、内視鏡スコープへの給電の開始指示を示す外部トリガを受け付けると、給電部から内視鏡スコープの受電部に対して給電を開始させるステップと、受電部を介して給電されると、第２の光通信部が、内視鏡用プロセッサ装置に設けられた第１の光通信部との間で光通信を開始し、内視鏡スコープの受電量の過不足に対応する受電情報を光通信にて送信するステップと、内視鏡用プロセッサ装置に設けられた給電制御部が、第１の光通信部を介して受信した受電情報に基づいて給電部を制御し、給電部から送電する電力を調整するステップと、を含む。
【００２３】
本発明の更に他の態様に係る内視鏡システムの非接触給電方法において、内視鏡用プロセッサ装置は、電磁共鳴方式により内視鏡スコープに非接触で給電を行うものであり、給電制御部は、外部トリガ受付部が外部トリガを受け付けると、給電部から内視鏡スコープの受電部に対して給電を開始し、かつ第２の光通信部から第１の光通信部を介して受電情報を取得し、取得した受電情報に基づいて給電部の送電コイルに流す電流の周波数を制御し、給電部から送電される電力を調整することが好ましい。
【発明の効果】
【００２４】
本発明よれば、内視鏡スコープとの間の光通信により内視鏡スコープの受電量の過不足に対応する受電情報を受信し、受信した受電情報をフィードバック情報として給電部から内視鏡スコープに非接触で送電する電力を調整するようにしたため、内視鏡スコープの負荷変動にかかわらず、内視鏡スコープに対して内視鏡スコープが必要とする電力の供給を非接触給電により良好に行うことができる。
【図面の簡単な説明】
【００２５】
【図１】内視鏡システムを示した外観図である。
【図２】内視鏡システムの内部構成を示すブロック図である。
【図３】内視鏡スコープのコネクタ部の外観図である。
【図４】内視鏡スコープのコネクタ部の装着を検知する装着検知部の実施形態を示す図である。
【図５】図１に示した内視鏡スコープの受電部と内視鏡用プロセッサ装置の給電部とを示す構成図である。
【図６】内視鏡システムの非接触給電方法を示すフローチャートである。
【図７】時間に対する送電コイルに流す電流の周波数、及び内視鏡スコープの負荷状態に対応する直流電圧の関係を示すグラフである。
【図８】内視鏡スコープのコネクタ部の装着を検知する装着検知部の他の実施形態を説明するために用いた内視鏡用プロセッサ装置の要部側面図である。
【発明を実施するための形態】
【００２６】
以下、添付図面に従って本発明に係る内視鏡用プロセッサ装置、内視鏡システム及び内視鏡システムの非接触給電方法の実施の形態について説明する。
【００２７】
［内視鏡システム］
図１は本発明に係る内視鏡システムの外観図である。
【００２８】
図１に示すように、内視鏡システム２は、内視鏡スコープ１０と内視鏡用プロセッサ装置１１とから構成されている。
【００２９】
内視鏡スコープ１０は、軟性鏡を例示しており、患者の体腔内に挿入される可撓性の挿入部１３と、挿入部１３の基端部分に配された操作部１５と、操作部１５に配されたユニバーサルコード１７と、ユニバーサルコード１７の端部に設けられ、内視鏡用プロセッサ装置１１の装着部として機能するコネクタ部１２に接続されるコネクタ部１８と、を備えている。ただし、内視鏡スコープ１０は軟性鏡に限らず、硬性鏡等の他の種類の内視鏡であっても本発明の適用は可能である。
【００３０】
挿入部１３の先端面には、観察窓、照明窓等が設けられている。挿入部１３の先端を構成する先端部１４には、観察窓により取り込まれる被観察部位からの被写体光を光学像として結像する対物光学系と、対物光学系により結像された光学像を電気信号に変換する撮像部等が配置される。
【００３１】
撮像部から出力される画像信号は、挿入部１３、操作部１５、及びユニバーサルコード１７の内部を介してコネクタ部１８まで挿通配置された伝送ケーブルにより画像信号送信部４２（図２）まで伝送される。画像信号送信部４２により画像信号が光信号に変換され、内視鏡用プロセッサ装置１１に非接触で光送信される。
【００３２】
また、先端部１４には、照明窓から被観察部位に照射するための光を伝送するライトガイド５２（図２）の光出射部が配置される。ライトガイド５２は、挿入部１３、操作部１５、及びユニバーサルコード１７の内部を介してコネクタ部１８まで挿通配置されている。また、ライトガイド５２と連結しているライトガイド棒２０が、コネクタ部１８から突出している。
【００３３】
操作部１５には、挿入部１３の先端面の向きを上下左右方向に調整するためのアングルノブや、挿入部１３の先端面から空気（エア）、水を噴出させるための送気及び送水ボタンの他、内視鏡画像を静止画記録するためのレリーズボタン等が設けられる。挿入部１３の先端面の向きは、先端部１４の基端側の近傍に設けられる湾曲部を湾曲することにより、調整される。
【００３４】
ユニバーサルコード１７は、管状で細長の可撓性を有する外壁部で覆われており、その外壁部の内側の管腔には、挿入部１３の内部及び操作部１５の内部の空洞部に挿通配置された伝送ケーブル、ライトガイド５２、送気及び送水チューブ等が挿通配置されている。
【００３５】
図２は、図１の内視鏡システム２の内部構成を示すブロック図である。
【００３６】
内視鏡スコープ１０のコネクタ部１８は、内視鏡用プロセッサ装置１１のコネクタ部１２と接続される。内視鏡スコープ１０のコネクタ部１８と内視鏡用プロセッサ装置１１のコネクタ部１２との間は、非接触で電力の受電及び給電と、画像信号の送信と受信と、各種の制御信号の送受信とが行われる。
【００３７】
そのために、内視鏡スコープ１０のコネクタ部１８には、非接触で受電する受電部３６と、撮像部３０の画像信号を非接触で光送信する画像信号送信部４２と、撮像部３０を制御する制御信号及び非接触給電の制御に使用する受電情報等を非接触で光送受信する、第２の光通信部として機能する信号送受信部５０とが設けられている。
【００３８】
内視鏡用プロセッサ装置１１のコネクタ部１２には、上述したように内視鏡スコープ１０のコネクタ部１８が接続される。内視鏡用プロセッサ装置１１は、コネクタ部１２に接続（装着）された内視鏡スコープ１０に対して電力の供給（給電）や、内視鏡スコープ１０との各種信号の送受信を行う。
【００３９】
内視鏡用プロセッサ装置１１は、光源６８を備えている。光源６８からの照明用の光がライトガイド棒２０を介してライトガイド５２に供給され、ライトガイド５２から先端部１４に光が伝送される。
【００４０】
内視鏡スコープ１０のコネクタ部１８と接続される内視鏡用プロセッサ装置１１のコネクタ部１２には、内視鏡スコープ１０の受電部３６に非接触で電力を給電する給電部６２と、内視鏡スコープ１０の画像信号送信部４２からの画像信号を非接触で受信する画像信号受信部６４と、内視鏡スコープ１０の信号送受信部５０との間で信号を非接触で送受信する、第１の光通信部として機能する信号送受信部６６と、が設けられている。
【００４１】
また、内視鏡用プロセッサ装置１１は、内視鏡スコープ１０の先端部１４の撮像部３０から出力された画像信号を取り込み、取り込んだ画像信号に各種信号処理を施して被観察部位の映像（動画像）や静止画像を構築する画像データを生成する。そして、生成した画像データがケーブルで接続された表示器（モニタ）１９に出力され、被観察部位の画像等がモニタ１９に表示される。また、生成した画像データは、必要に応じて記録媒体に記録される。
【００４２】
内視鏡スコープ１０は、コネクタ部１８により内視鏡用プロセッサ装置１１のコネクタ部１２に着脱可能に装着（接続）される。本実施の形態の内視鏡システム２では、内視鏡スコープ１０のコネクタ部１８と内視鏡用プロセッサ装置１１のコネクタ部１２との装着により、これらを介して内視鏡スコープ１０の内部回路と内視鏡用プロセッサ装置１１の内部回路とがトランスやフォトカプラ等の非接触型のデバイスにより接続される。これによって、内視鏡スコープ１０の内部回路と内視鏡用プロセッサ装置１１の内部回路との電気的な絶縁を確保される。つまり、制御信号の光通信と、電力の非接触給電と、画像信号の光通信とを実現できるように構成されている。
【００４３】
内視鏡スコープ１０の内部回路の駆動に必要な電力は、内視鏡用プロセッサ装置１１における給電部６２と内視鏡スコープ１０における受電部３６とからなる非接触の電力供給手段により内視鏡用プロセッサ装置１１から供給される。受電部３６は内視鏡スコープ１０のコネクタ部１８に配置され、給電部６２は内視鏡用プロセッサ装置１１のコネクタ部１２に配置される。
【００４４】
非接触の電力供給手段は、電磁結合を利用して非接触により電力を送受する手段である。内視鏡スコープ１０のコネクタ部１８を内視鏡用プロセッサ装置１１のコネクタ部１２に装着すると、給電部６２と受電部３６とが電磁結合可能な距離に近接して配置され、給電部６２から受電部３６への非接触による電力給電が可能な状態になる。給電部６２には、内視鏡用プロセッサ装置１１の外部における商用の電源１００に、安定化電源制御部６３を介して接続されている。商用の電源１００から供給され、安定化電源制御部６３で安定化された電力が給電部６２に供給される。安定化電源制御部６３から給電部６２へと供給される電力により、給電部６２から受電部３６への電力が非接触で給電される。受電部３６は、給電部６２から非接触で電力を受電する。尚、この非接触による電力の給電の詳細については、後述する。
【００４５】
内視鏡スコープ１０は、受電部３６に接続された電源生成部３２を備えており、電源生成部３２は、撮像部３０等を含む内部回路が必要とする各種の駆動電源を生成し、生成した電源を供給する。例えば、電源生成部３２は、受電部３６に誘導された電流を入力し、入力した電流から、撮像部３０やＣＰＵ（Central Processing Unit）４６等を含む内部回路に供給する駆動電源を生成する。
【００４６】
内視鏡スコープ１０の先端部１４には撮像部３０が配置される。撮像部３０は、上述したように観察窓により取り込まれて対物光学系により結像された被観察部位の光学像を電気信号に変換して画像信号として出力するデバイスである。撮像部３０として、例えば、ＣＣＤ（Charge Coupled Device：電荷結合素子）イメージセンサ、ＣＭＯＳ（Complementary Metal Oxide Semiconductor）イメージセンサなどの固体撮像素子を挙げることができる。
【００４７】
本実施の形態においては、内視鏡スコープ１０と内視鏡用プロセッサ装置１１との間の画像信号の送受信は、非接触型の光通信手段により行われる。撮像部３０から出力された画像信号は、内視鏡スコープ１０のコネクタ部１８から内視鏡用プロセッサ装置１１のコネクタ部１２を介して非接触型の光送信により伝送される。本実施の形態では、撮像部３０から画像信号を処理するためすため、Ａ／Ｄ変換器（Analog/Digital変換器）３４と、ＤＳＰ（Digital Signal Processor）３８と、タイミング信号発生回路（ＴＳＧ：Timing Signal Generator）４４等が設けられている。撮像部３０からの画像信号は、Ａ／Ｄ変換器３４により、アナログ信号からデジタル信号に変更される。Ａ／Ｄ変換器３４から出力された画像信号はＤＳＰ３８に伝送される。ＤＳＰ３８は、Ａ／Ｄ変換器３４からの画像信号に対して増幅、ガンマ補正及びホワイトバランス処理等の必要な処理を施す。
【００４８】
内視鏡スコープ１０と内視鏡用プロセッサ装置１１との間で非接触型の光送信を行うため、例えば、以下のような構成を備える。内視鏡スコープ１０にはＤＳＰ３８に接続された内視鏡側デジタルインターフェース（ＤＩ：Digital Interface）４０と、内視鏡側ＤＩ４０に接続された画像信号送信部４２を備えている。ＤＳＰ３８で処理された画像信号が内視鏡側ＤＩ４０を介して画像信号送信部４２に伝送される。撮像部３０から画像信号に処理が施され、処理された画像信号に応じて画像信号送信部４２から光信号が内視鏡用プロセッサ装置１１に向けて送信される。画像信号送信部４２は、光通信のための光を照射できる発光デバイスであればよく、例えばレーザー発光素子、発光ダイオード等を挙げることができる。レーザー発光素子とは、コヒーレントな光であるレーザー光を照射する素子をいい、ガスレーザー、固体レーザー、半導体レーザー等が挙げられる。
【００４９】
内視鏡用プロセッサ装置１１は、画像信号送信部４２から光信号を受信する画像信号受信部６４と、画像信号受信部６４に接続されたプロセッサ側ＤＩ７０と、プロセッサ側ＤＩ７０に接続された画像処理部及び出力部として機能する信号処理回路７２とを備えている。画像信号受信部６４は、受信した光信号を電気信号に変換する受光デバイスであり、例えば、フォトダイオード、フォトトランジスタ等の半導体デバイス等の受光素子を挙げることができる。画像信号受信部６４により光受信され、電気信号に変換された画像信号は、プロセッサ側ＤＩ７０を介して信号処理回路７２により表示用の画像信号に変換され、モニタ１９に出力される。尚、ガンマ補正及びホワイトバランス処理の信号処理等は、内視鏡スコープ１０のＤＳＰ３８により行う場合に限らず、内視鏡用プロセッサ装置１１の信号処理回路７２により行うようにしてもよい。
【００５０】
本実施の形態においては、画像信号送信部４２と画像信号受信部６４とから非接触の光通信による画像信号送受信手段が構成される。撮像部３０の画像信号を非接触で伝送する画像信号送信部４２、及び画像信号送信部４２からの信号を非接触で受信する画像信号受信部６４として、非接触の光通信（光無線通信方式）に限定されず、無線通信方式を用いることができる。光無線通信方式とは赤外線等により信号の送受信を行う方式をいい、無線通信方式とは無線通信（電波）により信号の送受信を行う方式をいう。
【００５１】
内視鏡スコープ１０のコネクタ部１８を内視鏡用プロセッサ装置１１のコネクタ部１２に装着すると、画像信号送信部４２と画像信号受信部６４とが光通信可能な距離に近接して配置され、画像信号送信部４２から画像信号受信部６４への非接触による光通信が可能な状態に設定される。
【００５２】
内視鏡スコープ１０と内視鏡用プロセッサ装置１１と間の制御信号の送受信は、非接触型の光通信により行われる。撮像部３０には、ＴＳＧ４４とＣＰＵ４６とが接続されている。ＴＳＧ４４とＣＰＵ４６とは、撮像部３０が画像信号を取得するための駆動信号を、撮像部３０に出力する。ＣＰＵ４６に内視鏡側通信インターフェース（ＣＩ:Communication Interface）４８、及び信号送受信部５０が接続されている。信号送受信部５０は、内視鏡スコープ１０と内視鏡用プロセッサ装置１１と間の制御信号を、非接触型の光送受信を行うデバイスであって、制御信号を光信号として内視鏡用プロセッサ装置１１へ光送信する発光デバイスと、内視鏡用プロセッサ装置１１からの制御信号を光信号として受信する受光デバイスとを備える。信号送受信部５０として、例えば、信号を光送信（赤外線）する赤外線発光素子と、信号を光受信する受光素子（フォトダイオード、フォトトランジスタ等）とを備える、ＩｒＤＡ（Infrared Data Association）による非接触の光データ通信を挙げることができる。内視鏡スコープ１０のコネクタ部１８には、少なくとも信号送受信部５０が配置される。他のデバイス、例えば、内視鏡側ＣＩ４８等が内視鏡スコープ１０のコネクタ部１８に配置されていてもよい。
【００５３】
内視鏡用プロセッサ装置１１は、内視鏡スコープ１０の信号送受信部５０との間で制御信号を光送受信する信号送受信部６６と、信号送受信部６６に接続されたプロセッサ側ＣＩ７４とを備えている。信号送受信部６６は、内視鏡スコープ１０と内視鏡用プロセッサ装置１１と間の制御信号を光送受信できるデバイスであって、制御信号を光信号として内視鏡スコープ１０へ光送信する発光デバイスと、内視鏡スコープ１０からの制御信号を光信号として受信する受光デバイスとを備える。内視鏡用プロセッサ装置１１の信号送受信部６６は、内視鏡スコープ１０の信号送受信部５０とは別の信号を光送信（赤外線）する赤外線発光素子と、信号送受信部５０とは別の信号を光受信する受光素子（フォトダイオード、フォトトランジスタ等）とを備える、ＩｒＤＡによる非接触の光データ通信を挙げることができる。赤外線とは、一般的に、０．７μｍ〜１ｍｍの波長を有する電磁波をいう。
【００５４】
内視鏡スコープ１０のコネクタ部１８を内視鏡用プロセッサ装置１１のコネクタ部１２に装着すると、信号送受信部５０、６６とが光通信が可能な距離に近接して配置され、信号送受信部５０、６６の間で非接触による光送受信が可能な状態に設定される。
【００５５】
内視鏡用プロセッサ装置１１は、光源６８を備えている。光源６８として、例えば、キセノンランプや、レーザダイオードや発光ダイオード等の半導体デバイスを挙げることができる。内視鏡スコープ１０はライトガイド５２を備えている。ライトガイド５２の端部に、ライトガイド５２と連接されるライトガイド棒２０が設けられている。ライトガイド棒２０は、コネクタ部１８から突出し、内視鏡用プロセッサ装置１１のコネクタ部１２に接続される。内視鏡スコープ１０のコネクタ部１８を内視鏡用プロセッサ装置１１のコネクタ部１２に装着すると、ライトガイド棒２０と光源６８とが位置合わせされ、光源６８からの光が、ライトガイド棒２０とライトガイド５２を介して先端部１４に伝送される。
【００５６】
また、内視鏡用プロセッサ装置１１は制御部７６と、操作スイッチ、検査開始スイッチ、キーボード、マウス等を含む入力部８０とを備えており、制御部７６は、入力部８０から入力される操作者の操作にしたがって、内視鏡システム２の全体を統括的に制御する。尚、入力部８０に含まれる検査開始スイッチ及び制御部７６は、外部トリガ受付部として機能する。
【００５７】
例えば、制御部７６は、給電部６２、光源６８及びプロセッサ側ＤＩ７０等を制御するとともに、内視鏡スコープ１０の内部回路を構成するＣＰＵ４６等に撮像動作等を制御するための制御信号を送り、内視鏡システム２の全体を制御する。
【００５８】
更に制御部７６は、ユーザが入力部８０により内視鏡用プロセッサ装置１１の電源のオン又はオフを示す指示入力に基づく制御信号等を、信号送受信部６６、５０を通じて内視鏡スコープ１０のＣＰＵ４６に伝送する。
【００５９】
また、内視鏡スコープ１０のＣＰＵ４６からの制御信号は、信号送受信部６６、５０及びプロセッサ側ＣＩ７４を通じて内視鏡用プロセッサ装置１１の制御部７６へ伝送され、制御部７６は、その制御信号に応じた内視鏡用プロセッサ装置１１の制御を行う。
【００６０】
図３は、内視鏡スコープ１０のコネクタ部１８を示す外観図である。上述したように、内視鏡スコープ１０と内視鏡用プロセッサ装置１１とは、非接触で電力の受電及び給電、画像信号の送信と受信、制御信号の双方向の送受信が行われる。コネクタ部１８には、内視鏡用プロセッサ装置１１と直接接続される電気接点を設ける必要がない。
【００６１】
従って、内視鏡スコープ１０のコネクタ部１８を、例えば、電気的に絶縁性を有し、耐薬性に優れた樹脂で覆い防水構造とすることができる。コネクタ部１８を防水構造とすることにより、コネクタ部１８の内部の電気部品等を洗浄水等から保護することができ、洗浄、消毒の際に、別体の防水キャップを取り付ける必要がなく、特に内視鏡スコープ１０を高圧蒸気滅菌装置（オートクレープ装置）によって洗浄及び滅菌する際に好適である。
【００６２】
図３に示すように、内視鏡スコープ１０のコネクタ部１８は、コネクタ部１８から突出するライトガイド棒２０と、軸２２とを備えている。
【００６３】
コネクタ部１８は筒状の形状を有し、その内部の空間に、上述した受電部３６と、画像信号送信部４２と、信号送受信部５０とが配置される。
【００６４】
軸２２は、内視鏡スコープ１０の画像信号送信部４２と内視鏡用プロセッサ装置１１の画像信号受信部６４との位置合わせのために用いられる。特に、軸２２の中心軸の延長方向には画像信号送信部４２が配置される。軸２２の先端には光を透過させるため、窓２２Ａが設けられている。この窓２２Ａを介して、画像信号送信部４２と画像信号受信部６４との間で画像信号が非接触で光送受信される。
【００６５】
また、コネクタ部１８の接続面には、信号送受信部５０に対応する位置に窓２３が設けられている。この窓２３を介して信号送受信部５０、６６との間で制御信号が非接触で光送受信される。
【００６６】
コネクタ部１８の接続面に近い位置に受電部３６が配置される。受電部３６はコネクタ部１８の内部に配置されており、外部に露出していない。
【００６７】
また、コネクタ部１８の側面には、送気、送水コネクタ２４、バルーンコネクタ２５、通気コネクタ２６、電気手術器（電気メス）等を使用する際に使用されるコネクタ２７、吸引コネクタ２８、及び副送水コネクタ２９が配置されている。
【００６８】
図４は、内視鏡スコープ１０のコネクタ部１８の装着を検知する装着検知部の実施形態を示す図であり、内視鏡用プロセッサ装置１１のコネクタ部の要部側面図である。
【００６９】
図４に示すように、内視鏡スコープ１０のコネクタ部１８が装着される内視鏡用プロセッサ装置１１のコネクタ部の近傍には、ＬＧ（Light Guide)検出スイッチ９０が配設されている。
【００７０】
このＬＧ検出スイッチ９０は、金属で被覆されているライトガイド棒２０との電気的な接続を検出することにより、ライトガイド棒２０が挿入されたこと（即ち、内視鏡スコープ１０のコネクタ部１８が内視鏡用プロセッサ装置１１に装着されたこと）を検出する。ＬＧ検出スイッチ９０は、ライトガイド棒２０の挿入を検出すると、その検出信号を外部トリガとして後述する給電制御部６２Ｃや制御部７６に出力する。
【００７１】
尚、ＬＧ検出スイッチ９０としては、ライトガイド棒２０との電気的な接続に限らず、ライトガイド棒２０との機械的な接触を検出するマイクロスイッチ、ライトガイド棒２０の有無を光学的に検出するフォトインタラプタ等を使用してもよい。
【００７２】
図５は、図１に示した内視鏡スコープ１０の受電部３６と内視鏡用プロセッサ装置１１の給電部６２とを示す構成図である。
【００７３】
給電部６２は、送電コイル６２Ａ、送電用ＩＣ（Integrated Circuit)６２Ｂ、及び給電制御部６２Ｃから構成されている。
【００７４】
送電用ＩＣ６２Ｂには、安定化電源制御部６３から安定化された電力が供給されており、送電用ＩＣ６２Ｂは、安定化電源制御部６３から入力する電力を電源として周波数可変の電流（高周波電流）を送電コイル６２Ａに供給する。
【００７５】
給電制御部６２Ｃは、給電部６２を構成する送電用ＩＣ６２Ｂを制御し、給電部６２から送電する電力を調整するもので、ＬＧ検出スイッチ９０から内視鏡スコープ１０の装着を示す検出信号（外部トリガ）が加えられると、又は入力部８０の内視鏡検査の開始を指示する検査開始スイッチが手動操作され、制御部７６を介して指示入力（外部トリガ）が加えられると、給電部６２を動作させて内視鏡スコープ１０に対して給電を開始させる。
【００７６】
また、給電制御部６２Ｃは、制御部７６を介して加えられる、内視鏡スコープ１０の受電量の過不足に対応する受電情報に基づいて送電用ＩＣ６２Ｂを制御し、給電部６２から送電する電力を調整する。本例では、内視鏡スコープ１０の受電部３６に受電された後に整流された直流電圧であって、内視鏡スコープ１０の負荷状態に対応して変動する直流電圧を示す電圧値（電圧情報）Ｖrectを、上記受電情報として使用し、給電制御部６２Ｃは、電圧値Ｖrectが所望の電圧範囲に入るように送電用ＩＣ６２Ｂから送電コイル６２Ａに流す電流の周波数を制御する。
【００７７】
内視鏡スコープ１０の受電部３６は、受電コイル３６Ａ及び受電用ＩＣ３６Ｂから構成されている。受電コイル３６Ａは、電磁共鳴方式により内視鏡スコープ１０に非接触で給電を行うものであり、送電コイル６２Ａと磁気結合し、受電コイル３６Ａには、送電コイル６２Ａに流れる高周波電流により生じた交番磁界（磁束）による誘導電流が発生する。
【００７８】
受電用ＩＣ３６Ｂは、整流回路を含み、受電コイル３６Ａに生じる誘導電流を整流回路により整流した後、電源生成部３２に出力する。
【００７９】
図２に示す電源生成部３２は、前述したように受電部３６が受電した電力を電源として内視鏡スコープ１０の内部回路が必要とする各種の駆動電源を生成し、生成した電源を供給する。
【００８０】
ＣＰＵ４６は、電源生成部３２における基準電源の電圧値Ｖrectを、電圧情報として電源生成部３２から取得し、取得した電圧情報をフィードバック情報として、内視鏡側ＣＩ４８及び非接触の光通信を行う信号送受信部５０を介して内視鏡用プロセッサ装置１１に通知する。
【００８１】
尚、電圧値Ｖrectは、内視鏡スコープ１０の負荷状態に対応して変動するとともに、給電部６２からの送電電力により変動する。
【００８２】
［内視鏡システムの非接触給電方法］
次に上記構成の内視鏡システム２の非接触給電方法について説明する。
【００８３】
図６は内視鏡システムの非接触給電方法を示すフローチャートであり、主として内視鏡用プロセッサ装置１１の動作に関して示している。
【００８４】
図６において、給電制御部６２Ｃは、内視鏡スコープ１０への給電の開始指示を示す外部トリガが入力されたか否かを判別し（ステップＳ１０）、外部トリガが入力されると（判別結果が「Yes」の場合）、内視鏡スコープ１０への給電を開始する（ステップＳ１２）。
【００８５】
ここで、外部トリガは、ＬＧ検出スイッチ９０がライトガイド棒２０の挿入を検出した時点（即ち、内視鏡スコープ１０の装着を検知した時点）に、ＬＧ検出スイッチ９０から給電制御部６２Ｃに加えられる。
【００８６】
また、内視鏡スコープ１０への給電開始時の給電は、図７（Ａ）に示すように外部トリガを入力した時点から、給電部６２の送電コイル６２Ａに流す電流の周波数を、給電部６２と受電部３６とが磁気共鳴する共鳴周波数よりも十分に低い周波数から徐々に上げる（スイープする）ことにより行う。これにより、給電部６２から受電部３６への給電電力が徐々に大きくなり、図７（Ｂ）に示すように内視鏡スコープ１０に生じる直流電圧を示す電圧値Ｖrectも給電電力に追随して大きくなる。
【００８７】
内視鏡スコープ１０への給電が開始されると、内視鏡スコープ１０は自動的に電源がオンにされ、又は内視鏡用プロセッサ装置１１から光通信により加えられる制御信号により電源がオンにされ、内視鏡用プロセッサ装置１１の内部回路に電源の供給が開始される。
【００８８】
内視鏡スコープ１０の電源がオンにされると、ＣＰＵ４６及び信号送受信部５０等が動作可能になり、内視鏡スコープ１０と内視鏡用プロセッサ装置１１とは、信号送受信部５０、６６を介して双方向の光通信を開始する（ステップＳ１４）。そして、内視鏡スコープ１０からは、内視鏡スコープ１０から現在の電圧値Ｖrectを示す電圧情報が、フィードバック情報として光通信により内視鏡用プロセッサ装置１１に送信され、内視鏡用プロセッサ装置１１の制御部７６は、現在の電圧値Ｖrectを示す電圧情報を受信（取得）し、取得した電圧情報を給電制御部６２Ｃに出力する（ステップＳ１４）。
【００８９】
給電制御部６２Ｃは、制御部７６を介して取得した電圧情報により現在の電圧値Ｖrectが、第１の閾値ＴＨ１（本例では、５．２Ｖ）よりも小さいか否かを判別する（ステップＳ１６）。ステップＳ１６において、電圧値Ｖrectが５．２Ｖよりも小さいと判別されると（「Yes」の場合）、給電制御部６２Ｃは、給電部６２の送電コイル６２Ａに流す電流の周波数を制御し、共鳴周波数に近づく方向に上げる（ステップＳ１８）。これにより、内視鏡スコープ１０への給電電力が増加し、内視鏡スコープ１０の電源の電圧値Ｖrectを上げることができる。
【００９０】
一方、給電制御部６２Ｃは、現在の電圧値Ｖrectが、５．２Ｖ以上であると判別すると（「No」の場合）、更に現在の電圧値Ｖrectが、第２の閾値ＴＨ２（本例では、５．３Ｖ）よりも大きいか否かを判別する（ステップＳ２０）。ステップＳ２０において、電圧値Ｖrectが５．３Ｖよりも大きいと判別されると（「Yes」の場合）、給電制御部６２Ｃは、給電部６２の送電コイル６２Ａに流す電流の周波数を制御し、共鳴周波数から離れる方向に下げる（ステップＳ２２）。これにより、内視鏡スコープ１０への給電電力が減少し、内視鏡スコープ１０の電源の電圧値Ｖrectを下げることができる。
【００９１】
ステップＳ２０において、電圧値Ｖrectが５．３Ｖ以下と判別されると（「No」の場合）、給電制御部６２Ｃは、給電部６２の送電コイル６２Ａに流す電流の周波数を保持する（ステップＳ２４）。これにより、内視鏡スコープ１０への給電電力も保持される。
【００９２】
上記ステップＳ１４からステップＳ２４の処理は、一定時間間隔で連続して行われる。
【００９３】
次に、図７を参照しながら、給電部６２から非接触給電する電力（給電部６２の送電コイル６２Ａに流す電流の周波数）の制御について説明する。
【００９４】
図７に示すように、外部トリガが入力されると、給電制御部６２Ｃは、送電コイル６２Ａに流す電流の周波数を共鳴周波数よりも十分に低い周波数から徐々に上げる。この周波数の上昇に伴って電圧値Ｖrectが上昇する。時刻ｔ１において、電圧値Ｖrectが第１の閾値ＴＨ１に達すると、その時刻ｔ１の周波数が保持される。
【００９５】
その後、時刻ｔ２において、電圧値Ｖrectが第２の閾値ＴＨ２を越えると、保持された周波数から周波数を徐々に下げ、時刻ｔ３において、電圧値Ｖrectが第２の閾値ＴＨ２に達すると、その時刻ｔ３の周波数が保持される。
【００９６】
続いて、内視鏡スコープ１０による撮像開始等により内視鏡スコープ１０の負荷が大きくなり、負荷による電圧降下により時刻ｔ４において、電圧値Ｖrectが第１の閾値ＴＨ１よりも小さくなると、保持された周波数から周波数を徐々に上げる。
【００９７】
このように内視鏡スコープ１０の電圧値Ｖrectの変化（特に第１の閾値ＴＨ１と第２の閾値ＴＨ２との間の範囲を越える変化）に対応して給電部６２の送電コイル６２Ａに流す電流の周波数（給電電力）を調整することにより、内視鏡スコープ１０の負荷変動に対して電力の過不足が発生しないようにすることができる。
【００９８】
尚、第１の閾値ＴＨ１と第２の閾値ＴＨ２との間には、ヒステリシス幅（本例では、０．１Ｖ）が設定されており、これにより送電コイル６２Ａに流す電流の周波数の調整時のハンチングを防止するようにしている。ここで、ヒステリシス幅とは、不感帯であって、そのヒステリシス幅の範囲内に内視鏡スコープ１０の電圧値Ｖrectが入っている場合には、送電コイル６２Ａに流す電流の周波数の調整の切り替えは行われない。
【００９９】
図８は、内視鏡スコープ１０のコネクタ部１８の装着を検知する装着検知部の他の実施形態を示す図であり、内視鏡用プロセッサ装置１１のコネクタ部の要部側面図である。
【０１００】
図８に示すように、内視鏡スコープ１０のコネクタ部１８が装着される内視鏡用プロセッサ装置１１の光源６８の近傍には、戻り光検出部９２が配設されている。
【０１０１】
この戻り光検出部９２は、光源６８からライトガイド棒２０の端面に入射される照明光の、ライトガイド５２の先端からの戻り光、又はライトガイド棒２０の端面での反射光を検出する。戻り光検出部９２は、ライトガイド棒２０の端面に入射させた照明光の戻り光を検出することにより、ライトガイド棒２０が挿入されたこと（即ち、内視鏡スコープ１０のコネクタ部１８が内視鏡用プロセッサ装置１１に装着されたこと）を検出する。尚、戻り光検出部９２は、ライトガイド棒２０が挿入されていない場合には、戻り光を受光することができず、これによりライトガイド棒２０の挿入の有無を検知することができる。
【０１０２】
戻り光検出部９２は、ライトガイド棒２０の挿入を検出すると、その検出信号を外部トリガとして前述の給電制御部６２Ｃや制御部７６に出力する。
【０１０３】
［その他］
本実施形態では、ＬＧ検出スイッチ９０、戻り光検出部９２等に代表される装着検知部が検知する内視鏡スコープの装着の検知時点を外部トリガとして非接触給電を開始させる場合と、入力部８０の内視鏡検査の開始を指示する検査開始スイッチの手動による操作時点を外部トリガとして非接触給電を開始させる場合とについて説明したが、装着検知部からの外部トリガと、検査開始スイッチからの外部トリガとを以下のように使い分けるようにしてもよい。
【０１０４】
内視鏡スコープ１０が内視鏡用プロセッサ装置１１に装着された状態で、内視鏡用プロセッサ装置１１の電源がオンされた場合、検査開始スイッチからの外部トリガのみを有効にする。内視鏡スコープ１０の装着が不完全な状態で自動的に非接触給電が開始されるのを防止するためである。一方、内視鏡用プロセッサ装置１１の電源がオンされた状態で、内視鏡スコープ１０が内視鏡用プロセッサ装置１１に装着された場合には、装着検知部からの外部トリガのみを有効にする。内視鏡スコープ１０の装着されていない状態で、検査開始スイッチの操作による無駄な非接触給電を防止するとともに、内視鏡スコープ１０の装着に連動して非接触給電を開始できるようにするためである。
【０１０５】
また、給電部の送電コイルに流す電流の周波数を制御して、給電電力を制御する場合に限らず、送電コイルに接続されたインバータのスイッチングのオンオフのデューティ比を調整して、給電電力を制御するようにしてもよい。
【０１０６】
更に、本実施形態では、内視鏡スコープの負荷状態に対応する直流電圧（電圧値Ｖrect）を示す電圧情報を、給電電力を制御する際のフィードバック情報として内視鏡スコープから受信するようにしたが、これに限らず、例えば、内視鏡スコープが電力の過不足を判別し、その判別結果を内視鏡スコープから光通信により内視鏡用プロセッサ装置に送信するようにしてもよい。
【０１０７】
また、本発明は上述した実施形態に限定されず、本発明の精神を逸脱しない範囲で種々の変形が可能であることは言うまでもない。
【符号の説明】
【０１０８】
２…内視鏡システム、１０…内視鏡スコープ、１１…内視鏡用プロセッサ装置、１２、１８…コネクタ部、２０…ライトガイド棒、３０…撮像部、３６…受電部、３６Ａ…受電コイル、３６Ｂ…受電用ＩＣ、４２…画像信号送信部、５０、６６…信号送受信部、５２…ライトガイド、６２…給電部、６２Ａ…送電コイル、６２Ｂ…送電用ＩＣ、６２Ｃ…給電制御部、６４…画像信号受信部、６８…光源、７６…制御部、８０…入力部、９０…ＬＧ検出スイッチ、９２…戻り光検出部
【図１】
0006348854.tif 000002
【図２】
0006348854.tif 000003
【図３】
0006348854.tif 000004
【図４】
0006348854.tif 000005
【図５】
0006348854.tif 000006
【図６】
0006348854.tif 000007
【図７】
0006348854.tif 000008
【図８】
0006348854.tif 000009